(57)【特許請求の範囲】
【請求項１】
短期間又は長期間持続する過電圧を制限するための配置装置であって、
バリスタ（１）と，
このバリスタに並列接続可能でこのバリスタに比べて持続電流負荷容量が大きいスイッチングポイント（４）を持つ放電経路と，
前記バリスタによって運搬される電流、この電流の電磁界、前記バリスタを通過して現在の残留電圧、及び／又はバリスタ温度のそれぞれの動作変数（ＩＶ ，ＵＲ ，ＴＶ ，Ｈ）に依存する第１信号の限界値（ＵＴ）を超えたときに前記スイッチングポイントを操作するための手段と、
軸線方向（２０）に沿って互いに離間した第１及び第２空間（２４，２６）を有し、４つの電流の通電板（３０，３２，３４，３６）のうち２つを収納するように当該離間した空間の間に配置され、電磁的に遮蔽された第３空間（２８）が定義され、それにより、前記第１空間（２４）内には、前記バリスタが配置され、前記第２空間内には、前記スイッチングポイント（２６）が配置され、軸線対称に構成されたハウジング（２２）と，
前記第３空間（２８）内には前記操作するための手段が配置される制御装置(５)と、
を備えることを特徴とする配置装置。
【請求項２】
前記制御装置は、前記第１信号用であって、前記放電路及び前記スイッチングポイントに運搬された過電圧又は電流に依存する第２の信号（Ｉ，ＩＳ）用の入力部（６）を備え、
この制御装置（５）は、
前記第１及び第２信号を処理しスイッチング条件を生成する信号処理ユニット（７）と、
前記スイッチング条件を検査しスイッチング信号を生成するトリガーユニット（８）と，
前記スイッチング信号によって前記スイッチングポイントに作用する出力部と，
を有することを特徴とする請求項１に記載の配置装置。
【請求項３】
前記制御装置（５）は、外部制御線からの第３の入力信号用の入力部（６）だけでなく、トリガーユニット（８）内に組み込まれ前記スイッチング条件によって規定した制御アルゴリズムに従って前記第１、第２、及び第３の入力信号をリンクするための電子機器又は計算ユニットをさらに有することを特徴とする請求項２に記載の配置装置。
【請求項４】
前記スイッチングポイント（４）は、制御装置（５）によって制御可能な電力半導体を有することを特徴とする請求項１に記載の装置。
【請求項５】
前記動作変数として残留電圧（ＵＲ）を選択した場合、制御装置（５）は、残留電圧（ＵＴ）を越えるときに起動可能であり分圧器又は電圧制限器として構成されたトリガー要素（１０）を有することを特徴とする請求項１に記載の配置装置。
【請求項６】
前記動作変数としてバリスタ電流（ＩＶ）又はこのバリスタ電流（ＩＶ）の磁場（Ｈ）を選択した場合、制御装置（５）は、電流又は磁場の限界値を越えるときに起動可能であり電流強度又は磁場強度に依存するスイッチ（ＳＩ）として構成されたトリガー要素を有することを特徴とする請求項４に記載の配置装置。
【請求項７】
前記動作変数としてバリスタ温度（ＴＶ）を選択した場合、制御装置（５）は、温度の限界値を超えるときに起動可能であり温度に依存するスイッチ（ＳＴ）として構成されたトリガー要素を有することを特徴とする請求項４項に記載の装置。
【請求項８】
外側の２つの板（３０，３６）各々が、２つの電流端子のうちの１つの電流端子を形成し、この間にある内側の２つの板（３２，３４）が互いに電気絶縁されていて、かつそれぞれの両電流端子のうちの１つの電流端子とバリスタ（１）とスイッチングポイント（４）の２つの電流端子のうちの１つの電流端子とに導電接続されていることを特徴とする請求項１に記載の装置。
【請求項９】
外側の２つの板（３０，３６）のうちの第１板（３０）及び内側の２つの板（３２，３４）のうちの第１板（３４）が、第１ボルト（３８）によって導電的に互いに固定されていて、外側の第１板（３０）と内側の第１板（３４）との間に配置された内側の第２板（３２）及び外側の板（３６）のうちの第２板が、第２ボルト（３９）によって導電的に互いに固定されていることを特徴とする請求項８に記載の装置。
【請求項１０】
第１ボルト（３８）は、内側の第２板（３２）内の開口部に挿入されていて、第２ボルト（３９）は、内側の第１板（３４）の開口部に挿入されていて、これらの開口部は、これらのボルトよりも大きい寸法を有することを特徴とする請求項９に記載の装置。
【請求項１１】
前記第３空間（２８）は、内側の第１板（３４）とバリスタ（１）の１つの電流端子に導電接続され、前記バリスタの電流接続によって電磁的に遮蔽されている中間板（４４）を形成することを特徴とする請求項１０に記載の装置。
【請求項１２】
前記第２空間（２６）内に誘導された中心ピン（５２）が、内側の第１板（３４）内に挿入されていることを特徴とする請求項１１に記載の装置。
【請求項１３】
平坦な絶縁体（４０）が、外側の両板のうちの１つの板（３０）と内側の両板のうちの１つの板（３２）との間に設けられていること、及び、内側の両板（３２，３４）は、外側の両板（３０，３６）の間に延在する絶縁体（５０）内に組み込まれていることを特徴とする請求項８に記載の装置。
【発明の詳細な説明】
【技術分野】
【０００１】
本発明は、請求項１の上位概念に記載の電圧リミッタに関する。この電圧リミッタは、短期間持続する過電圧又は長時間持続する過電圧を制限するために使用される。この電圧リミッタは、バリスタに対して並列に切替え可能な放電経路を有する。長期間持続する過電圧の場合、放電経路内に設けられているスイッチングポイントが作動し、バリスタ中の過電圧の制限時に流れた電流が、この放電経路内に通電する。
【背景技術】
【０００２】
本発明の上位概念は、米国特許発明第 4,068,281号明細書中に記されているような電圧リミッタの従来の技術に関する。このリミッタ装置は、バリスタ１０を有する。半導体スイッチ１６を有する放電経路が、バリスタ１０に対して並列に敷設されている。長期間持続する過電圧が発生した場合、電流がバリスタに流れる。このバリスタは、プリセット可能な時間遅延後に半導体スイッチの短絡によって放電経路に接続される。この短絡は、半導体スイッチをバリスタ温度に依存して時間遅延の経過後にオンされるＮＴＣ抵抗１５によって実現される。
【０００３】
その他の電圧リミッタが、仏国特許発明明細書第 2,716,307号明細書中に記されている。この明細書の図２中には、放電器２を有するが電圧リミッタが示されている。半導体スイッチ８を有する放電経路が、この放電器２に対して並列に接続されている。放電器２の動作に依存する値、すなわち放電器による電圧が、制御装置９によって検出され、プリセットされている期間後に半導体スイッチを短絡するために使用される。
【０００４】
多数の電圧制限要素を有する電圧リミッタが、ドイツ連邦共和国特許出願公開第 41 24 321号明細書中に記されている。これらの要素のうちの１つの要素が動作中に過負荷にされると、この要素は、この要素から次の１つの電圧制限要素に切り替えられる。この切り替えられた電圧制限要素が長期間作用する過電圧で同様に瞬時に過負荷にされているので、この電圧リミッタは、長期間に作用する過電圧に対して適していない。
【発明の開示】
【発明が解決しようとする課題】
【０００５】
本発明の課題は、厳しい動作条件でもコンパクトな構造と高信頼性の点で優れている冒頭で述べた種類の電圧リミッタを提供することにある。
【課題を解決するための手段】
【０００６】
本発明の電圧リミッタは、軸線方向に互いに離れた少なくとも２つの空間を有する軸線対称に構成されたハウジングを備える。バリスタが、これらの空間のうちの第１空間内に配置されていて、スイッチングポイントが、第２空間内に配置されている。このハウジングは、特定の電位にある第３空間をさらに有する。スイッチングポイントを操作する手段が、この第３空間内に格納されている。コンパクトでモジュール式の構造が、電圧リミッタの要素を独立した空間内に配置することによって実現される。同時に、電圧リミッタのエネルギー負荷のかかる要素、すなわちバリスタ及びスイッチングポイントが、場所的に互いに隔てられていて、かつ互いに独立して冷却され得ることが保証されている。一般に電子的に作用する操作手段が、電磁的に遮蔽された空間内に格納されていることによって、電圧リミッタの動作信頼性が遥かに著しく向上する。この空間は、特に望まない高エネルギーの電磁妨害に対して遮蔽される。
【０００７】
第３空間が、第１空間と第２空間との間に配置されていて、かつ操作手段として制御装置を有する場合、特にコンパクトな構造及び同時に特に良好な電磁的な共存可能性が実現される。この制御装置は、動作値に依存する少なくとも１つの信号及び場合によっては準備されている動作値に依存するその他の信号用の入力部，スイッチング条件を検査しスイッチング信号を生成するトリガーユニット，スイッチングポイントに作用する出力部，動作値に依存する信号を評価する信号処理ユニット及び／又はスイッチング信号を増幅する増幅器を有する。スイッチング信号の生成が、このような制御装置によって妨害する電磁妨害場に関係なく非常に精確に制御され得る。処理の精度が、信号処理ユニット内の供給された信号を評価することによって及び／又は増幅器内のスイッチング信号を増幅することによってさらに向上できる。この処理の精度は、追加の特に外部の入力信号用の入力部によって並びに切替え条件によって決まる制御アルゴリズムにしたがって動作値に依存する入力信号及び追加の入力信号を結合するためのトリガーユニット内に組み込まれた電子機器又は計算ユニットによってさらに向上する。電圧リミッタの極めて精確で確実な動作が、強い妨害場の発生にもかかわらず複雑な制限タスクの処理時でも重要であるので、このような電圧リミッタは、鉄道線路運転で有利に使用され得る。
【０００８】
特にバリスタによって誘導される電流，この電流の磁場，バリスタにある残留電圧及び／又はバリスタの温度が、動作値として考慮される。制御装置が、残留電圧を動作値として選択する場合に残留電圧の限界値の上で起動可能でありかつ分圧器又は電圧リミッタとして構成されたトリガー要素を有し、これに対してバリスタ電流又はこのバリスタ電流の磁場を動作値として選択する場合に電流又は磁場の限界値の上で起動可能でありかつ電流強度又は磁場強度に依存するスイッチとして構成されたトリガー要素を有し、そしてバリスタの温度を動作値として選択した場合に温度の限界値の上で起動可能でありかつ温度に依存するスイッチとして構成されたトリガー要素を有する。
【０００９】
第１空間及び第２空間がそれぞれ、軸線方向に互いに離れてかつ対称軸線に対して垂直に指向された４つの通電板のうちの２つの通電板の間に簡単な構造で配置されている。この場合、板のうちの外側の２つの板はそれぞれ、装置の２つの電流端子のうちの１つの電流端子を形成する。この間にある２つの内側の板は、互いに電気絶縁されていて、それぞれ装置の両電流端子のうちの１つの電流端子とバリスタ及びスイッチングポイントの２つの電流端子のうちの１つの電流端子とに導電接続されている。２つの外側の板のうちの第１板及び２つの内側の板のうちの第１板が第１ボルトによって導電的に互いに固定され、外側の第１板と内側の第１板との間に配置された内側の第２板及び外側の板のうちの第２板が第２ボルトによって導電的に互いに固定される場合、外部の機械的な作用に対して良好に作用する保護が、電圧リミッタのハウジングに既に存在する支持要素によってかつ追加の保持部材なしに実現され得る。
【００１０】
目的に合わせて、第１ボルトは内側の第２板内の開口部に挿入され、第２ボルトは内側の第１板内の開口部に挿入されている。これらの開口部は、これらのボルトよりも大きい寸法を有する。電圧リミッタの異なる電位に誘導可能な部材が互いに容易に電気絶縁され得るので、このように構成された電圧リミッタは特に簡単に製造することができる。平坦な絶縁体及び内側の両板を組み込みかつ外側の両板間で延在する絶縁体が、絶縁手段として使用される。平坦な絶縁体は、外側の両板のうちの１つの板と内側の両板のうちの１つの板との間に設けられている。延在する絶縁体は、硬化された成形材によって有利に形成されている。
【００１１】
特に、電気的にかつ磁気的に遮蔽された第３空間が、内側の第１板によって仕切られていて、かつこの第１板の電位に保持されバリスタの１つの電流端子に導電接続されている中間板によって仕切られている。このとき、操作手段を有する第３空間は、ファラデーケージの形成に起因して電磁的な影響から特に有効に保護されている。
【００１２】
第２空間内に誘導された中心ピンが内側の第１板内に挿入されていることによって、電圧リミッタの取り付けが著しく補助される。この中心ピンは、一般に少なくとも１つの電力半導体を有するスイッチングポイントを電圧リミッタの製造時に保持し、その製造時点後に所定の場所に保持する。
【発明を実施するための最良の形態】
【００１３】
図中では、同じ部分が同じ符号で示されている。図１中に示された電圧リミッタは、電圧制限要素を有する。この電圧制限要素は、バリスタ１として構成されていて、特に金属酸化物、特に酸化亜鉛を含有する。バリスタ１は、過電圧Ｕが印加可能な区間に対して並列に接続されている。この区間は、異なる電位に移行可能な２つの電流端子２，３によって限定されている。両電流端子は、１つの電気設備の一部でもよいものの、異なる２つの電気設備の各電気設備の一部、例えば逆電流が流れる電車のレールとこのレールの近くに配置された低電圧設備、例えば自動券売機とに敷設してもよい。電流端子２は、バリスタ１の両電流端子のうちの一方の電流端子とバリスタ１に対して並列接続された放電経路内に配置されたスイッチングポイント４の両電流端子のうちの一方の電流端子とに導電接続されている。電流端子３並びにバリスタ１及びスイッチングポイント４の両電流端子のうちの他方の電流端子はそれぞれ、同電位にある。スイッチングポイントを操作する、特にスイッチングポイントを投入する手段が、バリスタとスイッチングポイントとの間に存在する。この操作手段は、バリスタの動作値を検出する図示しなかったセンサ及び制御装置５を有する。これらのセンサの出力信号がこの制御装置５に供給され、この制御装置５がスイッチングポイント４に作用する。このような動作値は、特に電流センサによって検出可能なバリスタ１内で流れる電流ＩV ，磁場センサによって検出可能なこの電流の磁場Ｈ，バリスタ１にある残留電圧ＵR 及び温度センサによって検出可能なバリスタ１の温度ＴV のようなバリスタの過負荷の検出を可能にする全ての測定値を含む。これらの動作値のうちの１つの動作値だけが、スイッチングポイント４に作用できる。しかし好ましくは、冗長性を向上させるため、これらの動作値のうちの２つの動作値や多数の動作値をスイッチングポイント４に作用させることも可能である。実施形に応じて、センサを制御装置５内に組み込んでもよい。
【００１４】
制御装置５は、センサによって出力される動作値に依存する信号ＩV ，ＵR ，ＴV 及びＨ用の入力部６及び場合によっては設けられているその他の動作値に依存する信号用の入力部６を有する。これらのその他の信号は、過電圧Ｕによって引き起こされる電流Ｉ及び放電経路又はスイッチングポイント４内で流れる電流ＩS である。この電流ＩS は、バリスタ電流ＩV と加算されて過電圧によって引き起こされる全電流Ｉになる。さらに、外部の制御線の追加の信号用の入力部が設けられている。入力信号が、制御装置５の信号処理ユニット７内で処理され得る。スイッチングポイント用のオン信号が、トリガーユニット８内でプリセットされている起動条件を検査しつつ処理された入力信号を計算ユニット又は電子機器内で評価するアルゴリズムによってこれらの処理した信号から直接又は間接に生成される。このスイッチング信号は、増幅器９内で増幅され、制御装置５の出力部を経由してスイッチングポイント４の制御要素に対して出力される。
【００１５】
このスイッチングポイント４は、電気機械式のスイッチング機器として構成できるものの、一般に電力半導体を含む半導体スイッチを有する。適切な電力半導体は、サイリスタ，トライアック，トランジスタ，ＩＧＢＴ，ＧＴＯ，ＭＯＳ−Ｆｅｔ又はＦＥＴとして構成されている。これらの個々の電力半導体のタイプは、負荷容量（過負荷条件，電圧負荷，最大許容上昇定格電流）及びトリガー方法が異なる。したがって、各半導体のタイプに対する異なる利点が、特定の用途に対して得られる。その結果、用途が、最適なタイプに応じて評価され得る。使用される電力半導体に応じて、タイプに固有の保護回路（例えば、サイリスタ用のＴＳＥ保護回路）や遮断回路（例えば、サイリスタ用の整流補助回路）を組み込んでもよい。交流の用途に対しては、電力スイッチが一般に双方向に構成され、かつ逆並列接続された同様な電力半導体を有する。これに対して直流の用途に対しては、電力半導体が１つだけ使用されるか又は一方向に極性を与えた２つ以上の電力半導体が使用される。
【００１６】
僅かなエネルギー量で短期間だけ持続する過電圧は、バリスタ１によって制限される。大きいエネルギー量で長期間持続する過電圧は、最初は同様にバリスタ１によって制限される。バリスタの負荷が非常に大きくなる前に、スイッチング信号が、制御装置５内でバリスタの動作値ＩV ，ＵR ，ＴV ，Ｈのうちの１つの動作値に依存する少なくとも１つの信号の限界値の上で生成される。動作値に依存する信号が所定の期間後にこの限界値をさらに超えた場合、このスイッチング信号は、バリスタより大きい持続電流負荷容量を有するスイッチングポイントを短絡させる。
【００１７】
本発明の電圧リミッタのこの原理を図２，３に基づいて説明する。この電圧リミッタの場合、バリスタの過電圧に応じる残留電圧ＵR が、スイッチングポイント４を制御する動作値として使用される。一方で残留電圧ＵR を印加するバリスタ１の電流端子に導電接続されていて他方でスイッチングポイントの制御要素に導電接続されているこの電圧リミッタの制御装置５が、トリガー要素１０と期間ｔd にわたって作用する遅延部を有する遅延要素１１とに直列接続されている。
【００１８】
短期間に作用する過電圧の場合（図３の左部分）、バリスタ１が、過電圧の所定の値ＵC の上で導通し、電流ＩV が流れる。この過電圧が別の所定の電圧値ＵT を超えた場合、トリガー要素１０がトリガー信号を出力し、同時に遅延要素１１が起動する。この過電圧Ｕが期間ｔd 内に再び値ＵT の下に降下した場合、このトリガー信号はこの期間内でまた消滅する。このとき過電圧は、過負荷の危険なしにバリスタ１だけによって制限される。これに対して長期間作用し場合によっては緩やかに上昇する過電圧の場合（図３の右）、トリガー要素１０によって出力されたトリガー信号が全期間ｔd にわたって保持される。このトリガー信号は、期間の経過後に遅延要素１１を経由してスイッチングポイント４にスイッチング信号として到達し、このスイッチングポイント４を閉じて放電経路を形成する。バリスタ１内で流れた電流ＩV は、今度はスイッチングポイント４を含むこの放電経路内で流れる。スイッチングポイント４は持続電流に強く構成されているので、このスイッチングポイント４は、許容できない高さに加熱されることなしに電流を長期間にわたって通電する。それにもかかわらず場合によっては発生する過剰な熱は、追加に設けられている冷却要素によって除去され得る。
【００１９】
図４から分かる電圧リミッタの実施形の場合、バリスタ１の残留電圧ＵR が、逆接続された２つのサイリスタＴ1 ，Ｔ2 を有する双方向スイッチとして構成されたスイッチングポイント４を制御するために使用される。バリスタ１の残留電圧ＵR は、残留電圧の正の半波内ではダイオードＤを介してバリスタ１の電流端子に対して並列接続された分圧器によって検出される。この分圧器は、制御回路５の電子機器Ｅ1 の抵抗Ｒ1 ，Ｒ2 を有する。残留電圧の正の半波の間に、分圧器の分圧比だけ低下した残留電圧が、ダイアックＤＩ及びオーミック抵抗Ｒ3 を経由してサイリスタＴ1 のゲート端子に供給される。次いで、Ｒ2 に対して並列接続された電子機器Ｅ1 の充電コンデンサＣＴが充電される。残留電圧が期間ｔd （図３）後にもまだ存在する場合、このコンデンサＣＴは、ダイアックが起動し電流がこのコンデンサＣＴから抵抗Ｒ3 を経由してサイリスタＴ1 のゲート電極に流れるのに十分である電圧に充電される。ゲート電流が、抵抗Ｒ3 によって制限される。サイリスタＴ1 が点弧し、これによってこのサイリスタＴ1 に並列接続されたバリスタ１が放電される。
【００２０】
図４の四角形（ボックス）で示された電子機器E2は、電子機器E1に対応する部材から構成されている。コンデンサCTに対応するコンデンサが、残留電圧の負の半波内に充電され、期間ｔｄ後にまだ存在する残留電圧でサイリスタT2を点弧する。詳しく示さなかったサイリスタに対して一般的なRC回路が、サイリスタT1,T2によって過電圧から保護される。
【００２１】
直流の用途に特定された図５の変圧器の実施形の場合にも、バリスタ１の残留電圧ＵR がスイッチングポイントを制御するために使用される。このスイッチングポイントは、サイリスタＴとして構成されている。サイリスタＴのゲート電極が、ツェナーダイオードＺＤ，これに直列接続されている抵抗ＲＴ及びコンデンサＣＴを介して残留電圧によって制御される。ツェナーダイオードＺＤが、電圧値ＵT （図３）の上で導通し、ＲＣ回路によって決められた時間遅延後もまだ導通している時だけ、信号がサイリスタＴに到達する。バリスタ１のバリスタ電流ＩV が放電経路に切り換る間に、スイッチングポイントによる電流ＩS の上昇が制御されることが、チョークコイルＬＫによって保証されている。すなわちサイリスタＴは、非常に大きい電流の変化率から保護される。
【００２２】
交流の用途に特定された図６の実施形の場合、スイッチングポイント４が、再び逆並列接続された２つのサイリスタＴ1 ，Ｔ2 を有するサイリスタ配置として構成されている。これらの両サイリスタの各々は、図４の実施形のサイリスタＴに呼応してツェナーダイオードＺＤとＲＣ回路に接続されている。逆並列接続され両ツェナーダイオードの各々に直列接続された２つのダイオードＤが、対応する信号を残留電圧ＵR の半波ごとにこれらのツェナーダイオードに対して送る。
【００２３】
図７〜１０の実施形の場合、図２，４，５及び６の実施形と違ってバリスタ電流ＩV 及びバリスタの温度ＴV が、スイッチングポイント４を操作する動作値として使用される。ツェナーダイオードＺＤの代わりに、電流又は磁場の限界値の上で起動可能な電流強度又は磁場強度に依存するスイッチＳI 及び温度ＴV の限界値の上で起動可能な温度に依存するスイッチＳT が、トリガー要素として設けられている。直流の用途に対して設けられている図７又は９の実施形の場合、サイリスタＴ又はＩＧＢＴが、スイッチングポイント４として設けられている。交流の用途に対して設けられている図８，１０の実施形の場合、逆並列接続された２つのサイリスタＴ1 ，Ｔ2 を有する配置又は逆並列接続された２つの絶縁ゲートバイポーラ接合トランジスタ（ＩＧＢＴ）を有する配置が、スイッチングポイント４として設けられている。少なくとも１つのＩＧＢＴを含むスイッチングポイント４を有する図９，１０の実施形の場合、チョークコイルＬＫが省略できる。
【００２４】
両スイッチＳI 又はＳT のうちの１つのスイッチが、バリスタ電流ＩV 又はバリスタ温度ＴV の限界値を超えた時に閉じた場合、起動信号がスイッチングポイント４に再び送られる。互いに独立して作用する２つの動作値が起動信号を生成するために使用されることによって、電圧リミッタの冗長性が向上する。
【００２５】
図１１〜１３中には、図４，６，８，１０のうちの１つの図の電圧リミッタの装置に関する実施形が示されている。この実施形は、高出力の得るために決められている。図１１，１２中では、絶縁体が示されていない。この電圧リミッタは、軸線２０に沿って軸対称に構成されたハウジング２２を有する。このハウジング２２は、軸線方向に沿って互いに隔てられている２つの空間２４，２６を有する（図１２，１３）。これらの空間のうちの第１空間２４内には、平坦な円板として形成されたバリスタ１が配置されている。第２空間２６内には、フルシリンダとして形成された２つのサイリスタＴ1 ，Ｔ2 を有するスイッチングポイント４が配置されている。規定された電位にある電磁的に遮蔽された第３空間２８（図３）内には、制御装置５を有する操作手段が格納されている。この第３空間は、バリスタの空間２４とスイッチングポイントの空間２６との間に配置されている。
【００２６】
空間２４，２６はそれぞれ、互いに間隔を空けかつ対称軸線２０に対して垂直に指向された円形の４つの通電板３０，３２，３４，３６のうちの２つの通電板の間に配置されていることが図１２，１３から明らかである。これらの通電板は、例えばアルミニウム，真鍮又は銅のような電流を良好に通電する材料、これらの要素のうちの少なくとも１つの要素を含む合金又は鋼から成る。外側の２つの板、すなわち板３０，３６は、内側にある両板３２，３４よりも大きい直径を有し、かつそれぞれ電圧リミッタの２つの電流端子のうちの１ちの電流端子を形成する。これらの間にある内側の板３２，３４は、互いに電気的に絶縁されていて、かつそれぞれ配置の両電流端子のうちの１つの電流端子とバリスタ１とスイッチングポイント４の２つの電流端子のうちの１つの電流端子とに導電接続されている。板３０，３４は、３つのボルト３８によって、そしてこれらの両板に配置された板３２，３６は、３つのボルト３９によって導電的に互いに固定されている。ボルト３８は、示さなかった開口部によって板３２内に挿入されていて、ボルト３９は、板３４の示さなかった開口部に挿入されている。これらの開口部は、これらのボルトよりも大きい。
【００２７】
空間２８は、板３４とこの板３４上に設置されている金属製の中空シリンダ４２とこの中空シリンダ４２上に支持されバリスタ１の１つの電流端子を形成する導電性の中間板４４とによって仕切られている。板３４，シリンダ４２及び中間板４４は、互いに導電的に接続しているので、空間２８は、特定の電位にあり、外部に対して事実上完全に電磁的に遮蔽されている。示さなかった開口部が、板３４内だけに設けられている。この開口部は、空間２８をスイッチングポイント空間２６につなげる。この開口部は、供給線と信号線４６（図１３）を収容する。これらの供給線と信号線４６は、制御装置５の電流供給を保証し、かつ制御装置５とサイリスタＴ1 ，Ｔ2 のゲート電極との間の電流の流れを保証する。
【００２８】
平坦な層として構成された平坦な絶縁層４０（図１３）が、板３０と板３２との間に設けられている。それ故に、板３０，３４，ボルト３８，中空シリンダ４２及び中間板４４は、板３０，３６によって実現された電圧リミッタの電流端子に対して交流電圧を印加した後に同電位にある。これに対してこのとき、板３２，３６，ボルト３９及び板３２を支持しかつバリスタ１の電流端子として使用される中間板４８が逆同電位にある。図１３から、内側の両板３２，３４，ボルト３８，３９，中間板４４，４８，中空シリンダ４２，バリスタ１及びサイリスタＴ1 ，Ｔ2 を電気絶縁体内に組み込むことによって、外側の両板３０，３６間で延在する絶縁体５０が形成されていることが分かる。この絶縁体５０は、大電力の負荷時でも電圧リミッタの確実な動作を保証する。好ましくは、絶縁体５０は、前もって取り付けられたバリスタ，サイリスタ及び制御装置を既に収容しているハウジング２２を特にシリコンを母材とする絶縁樹脂で成形することによって製造される。ボルト３８，３９を収容する開口部がこれらのボルトよりも大きい寸法を有するので、液体樹脂が開口部内に浸入でき、絶縁体が、後続する硬化後にこれらのボルトと開口部を有する板との間に形成できる。
【００２９】
図１２から、中心ピン５２が板３４，３６内に挿入されていることが分かる。これらの中心ピン５２は、空間２６内に誘導されている。これらのピンは、両サイリスタＴ1 ，Ｔ2 を空間２６内の所定の位置に保持し、電圧リミッタの取り付けを著しく簡単にする。
【図面の簡単な説明】
【００３０】
【図１】短期間又は長期間持続する過電圧Ｕを制限する本発明の装置の原理図である。この装置は、バリスタ及びこのバリスタに並列に接続された経路を有する。この放電経路は、バリスタの動作値によって制御可能なスイッチングポイントを有する。
【図２】図１の本発明の電圧リミッタの実施形の原理回路図である。この実施形の場合、バリスタの過電圧に依存する残留電圧ＵR が、スイッチングポイントを制御する動作値として使用される。
【図３】時間ｔに対する残留電圧ＵR ，過電圧Ｕによって引き起こされる電流Ｉ，バリスタ中で流れるＩV 及びスイッチングポイントに流れるＩS それぞれの図２の電圧リミッタで発生する変化の原理図である。
【図４】逆並列接続された２つのサイリスタを有するスイッチングポイントを備えた交流用途用の図２の電圧リミッタの実施形の回路図である。
【図５】スイッチングポイントとしてサイリスタを有する直流の用途用の図２の電圧リミッタの実施形の回路図である。
【図６】逆並列接続された２つのサイリスタを有するスイッチングポイントを有する交流の用途用の図２のもう１つの電圧リミッタの実施形の回路図である。
【図７】スイッチングポイントとしてサイリスタを有する直流の用途用の図１の電圧リミッタの実施形の回路図である。この実施形の場合、バリスタに流れる電流ＩV 及びバリスタの温度Ｔが、スイッチングポイントを制御する動作値として使用される。
【図８】スイッチングポイントとして逆並列のサイリスタを有する交流の用途の図１の電圧リミッタの実施形の回路図である。この実施形の場合、バリスタに流れる電流ＩV 及びバリスタの温度Ｔが、スイッチングポイントを制御する動作値として使用される。
【図９】スイッチングポイントとしてＩＧＢＴを有する交流の用途の図１の電圧リミッタの実施形の回路図である。この実施形の場合、バリスタに流れる電流ＩV 及びバリスタの温度ＴV が、スイッチングポイントを制御する動作値として使用される。
【図１０】スイッチングポイントとして逆並列のＩＧＢＴ配置を有する交流の用途の図１の電圧リミッタの実施形の回路図である。この実施形の場合、バリスタに流れる電流ＩV 及びバリスタの温度ＴV が、スイッチングポイントを制御する動作値として使用される。
【図１１】図４，６，８又は１０のうちの１つの図の電圧リミッタの装置に関する実施形を投影図で示す。この実施形の場合、存在する絶縁体が省略されている。
【図１２】図１１の電圧リミッタの側面図である。この側面図は、スイッチングポイントとして使用される２つの電力半導体の領域内で部分的に切断して示されている。
【図１３】図１１の電圧リミッタをＸＩＩＩ−ＸＩＩＩに沿って切断した図である。この図の場合、絶縁体だけが存在する。
【符号の説明】
【００３１】
１  バリスタ
２，３  電流端子
４  スイッチングポイント
５  制御装置
６  入力部
７  信号処理ユニット
８  トリガーユニット
９  増幅器
１０  トリガー要素
１１  遅延要素
２０  軸線
２２  ハウジング
２４，２６，２８  空間
３０，３２，３４，３６  通電板
３８，３９  ボルト
４０  扁平絶縁板
４２  中空シリンダ
４４，４８  中間板
４６  給電線と信号線
５０  絶縁体
５２  中心ピン
Ｉ  総電流
ＩV バリスタ電流
ＩS スイッチングポイントの電流
Ｕ  過電圧
ＵC 過電圧の規定値
ＵR 残留電圧
ＵT 残留電圧の限界値
ＴV バリスタ温度
Ｈ  バリスタ電流の磁場
ｔd 期間
Ｔ，Ｔ1 ，Ｔ2 サイリスタ
Ｄ  ダイオード
ＤＩ  ダイアック
ＺＤ  ツェナーダイオード
ＩＧＢＴ  ＩＧＢＴ
ＬＫ  チョークコイル
ＣＴ  コンデンサ
Ｒ1 ，Ｒ2 ，Ｒ3 ，ＲＴ  オーミック抵抗
Ｅ1 ，Ｅ2 電子機器
【図１】
0003999741.tif 000002
【図２】
0003999741.tif 000003
【図３】
0003999741.tif 000004
【図４】
0003999741.tif 000005
【図５】
0003999741.tif 000006
【図６】
0003999741.tif 000007
【図７】
0003999741.tif 000008
【図８】
0003999741.tif 000009
【図９】
0003999741.tif 000010
【図１０】
0003999741.tif 000011
【図１１】
0003999741.tif 000012
【図１２】
0003999741.tif 000013
【図１３】
0003999741.tif 000014